(57)【要約】【課題】建物の天井裏空間や、床下空間内の配管が容易に施工でき、また、配管位置の変更が容易にできる、配管用ウェイト、建物の配管構造を提供すること。【解決手段】六面体、五面体、円柱などの錘体に挿通孔１１、２１、３１を穿設した配管用ウェイト１０、２０、３０に、給水管・給湯管等の管体を挿通して配管位置に載置する。【選択図】        図１
2004346534.tif 000002
【特許請求の範囲】
【請求項１】
錘体に給水管・給湯管等の管体の固定手段が設けられていることを特徴とする配管用ウェイト。
【請求項２】
錘体に給水管・給湯管等の管体の挿通孔が穿設されていることを特徴とする配管用ウェイト。
【請求項３】
錘体に給水管・給湯管等の管体の挿通孔が設けられていると共に外面に載置平面が形成されることを特徴とする配管用ウェイト。
【請求項４】
請求項１〜３のいずれか１項記載の配管用ウェイトの挿通孔に給水管・給湯管等の管体が挿入され、このウェイトが建物内の所定個所に載置されていることにより、給水管・給湯管等の管体が建物内の所定位置に配設されていることを特徴とする建物の配管構造。
【請求項５】
請求項１〜３のいずれか１項記載の配管用ウェイトの挿通孔に給水管・給湯管等の管体が挿入され、このウェイトが建物の床下または天井裏の所定個所に載置されていることにより、給水管・給湯管等の管体が床下または天井裏の所定位置に配設されていることを特徴とする建物の配管構造。
【発明の詳細な説明】
【０００１】
【発明の属する技術分野】
この発明は、給水管・給湯管等の管体を所定位置を保持するための配管用ウェイトと、その配管用ウェイトを用いた建物の配管構造に関する。
【０００２】
【従来の技術】
従来、給水管、給湯管等の管体は、留め金具で固定されることによって配管されている。
例えば、建物の床下配管構造において、水回り設備用配管は複数の半円状の留め具により床基盤材に固定されることによって配管されている（特許文献１参照）。
【０００３】
【特許文献１】
特開平７−２８６３４４号公報（第３頁段落〔００１２〕、図１他）
【０００４】
また、建物の天井裏の配管構造において、給水管や給湯管が複数のサドルバンドによりスタッド材上に固定されることによって配管されている（特許文献２参照）。
【０００５】
【特許文献２】
実用新案登録第２５７９００１号公報（第３頁段落〔００２６〕、〔００２６〕、図１他）
【０００６】
【発明が解決しようとする課題】
特許文献１に記載されているような建物の床下配管構造や、特許文献２に記載されているような建物の天井裏の配管構造においては、いずれも、給水管、給湯管等の管体は、半円状の留め具やサドルバンド等の留め金具で載置面に固定されることによって配管されている。
【０００７】
このように、留め金具を用いて管体を載置面に固定する作業は、手間がかかり煩瑣である。また、その後のリフォーム等で配管位置を変更する必要が出た場合には、留め金具を取り除いて配管の固定を外さねばならず、場合によっては床や天井の一部を剥がす必要があり、その撤去作業は煩瑣であり、時間もかかるものであった。
【０００８】
この発明は、上記の問題点を解消し、建物ユニットの床下部、天井面裏部等のの配管を容易に施工でき、また、リフォーム等が生じた場合等における配管位置の変更が容易な配管用ウェイトと、その配管用ウェイトを用いた建物の配管構造を提供することを目的とする。
【０００９】
【課題を解決するための手段】
請求項１記載の発明の配管用ウェイトは、錘体に給水管・給湯管等の管体の固定手段が設けられていることを特徴とする。
【００１０】
請求項２記載の発明の配管用ウェイトは、錘体に給水管・給湯管等の管体の挿通孔が穿設されていることを特徴とする。
【００１１】
請求項３記載の発明の配管用ウェイトは、錘体に給水管・給湯管等の管体の挿通孔が設けられていると共に外面に載置平面が形成されることを特徴とする。
【００１２】
請求項４記載の発明の建物の配管構造は、請求項１〜３のいずれか１項記載の配管用ウェイトの挿通孔に給水管・給湯管等の管体が挿入され、このウェイトが建物内の所定個所に載置されていることにより、給水管・給湯管等の管体が建物内の所定位置に配設されていることを特徴とする。
【００１３】
請求項５記載の発明の建物の配管構造は、請求項１〜３のいずれか１項記載の配管用ウェイトの挿通孔に給水管・給湯管等の管体が挿入され、このウェイトが建物の床下または天井裏の所定個所に載置されていることにより、給水管・給湯管等の管体が床下または天井裏の所定位置に配設されていることを特徴とする。
【００１４】
これらの発明において、錘体は、金属、合成樹脂、硬質ゴム等からなる、給水管・給湯管等の管体の移動を抑えることができる重量のものをいい、その重さは一個当たり、略２〜３ｋｇであることが好ましい。
【００１５】
また、管体が錘体の挿通孔に挿入し易いように側面からの案内溝を設けておくことが好ましい。
【００１６】
（作用）
請求項１記載の発明の配管用ウェイトにあっては、錘体に給水管・給湯管等の管体の固定手段が設けられているので、この固定手段に管体を固定して所定位置に配設すれば、ウェイトを固定しなくてもウェイトの重さによって管体の位置がずれ難くなり、また、リフォームの場合等において、配管位置の変更も、ウェイトの位置を簡単に移動させことができ、容易に配管位置を変更できる。
【００１７】
請求項２記載の発明の配管用ウェイトにあっては、錘体に給水管・給湯管等の管体の挿通孔が穿設されているので、この挿通孔に管体を挿通するだけで容易にウェイトと管体を固定でき、また、リフォームの場合等において、配管位置の変更も、ウェイトの位置を簡単に移動させことができ、容易に配管位置を変更できる。
【００１８】
請求項３記載の発明の配管用ウェイトにあっては、上記請求項２の発明の作用を奏すると共に、錘体の外面に載置平面が形成されているので、ウェイトが安定した状態で載置され、配管された管体の位置のずれを防止できる。
【００１９】
請求項４記載の発明の建物の配管構造にあっては、給水管・給湯管等の管体がウェイトに固定され、このウェイトが建物内の所定個所に載置することにより、給水管・給湯管等の管体が建物内の所定位置に容易に配設され、また、リフォームの場合等において、建物内の配管位置の変更も、ウェイトの位置を移動させるだけで、容易にその配管位置を変更できる。
【００２０】
請求項５記載の発明の建物の配管構造にあっては、給水管・給湯管等の管体がウェイトに固定され、このウェイトが建物の床下または天井裏の所定個所に載置することにより、給水管・給湯管等の管体が床下または天井裏の所定位置に容易に配管され、また、リフォームの場合等において、床下の配管位置の変更も、ウェイトの位置を移動させるだけで、容易にその配管位置を変更できる。
【００２１】
【発明の実施の形態】
この発明の実施の形態を図１の実施例に基づいて説明する。
【００２２】
図１は、この発明の配管用ウェイトの実施例を示す斜視図であり、１０、２０、３０は、配管用ウェイトであり、それぞれ、図１（Ａ）、図１（Ｂ）、図１（Ｃ）に示している。
【００２３】
配管用ウェイト１０は、図１（Ａ）に示されるように、六面体からなる錘体に給水管・給湯管等の管体が挿通できる挿通孔１１が穿設され、この挿通孔１１に通ずる案内溝１２が錘体の一面から形成されて構成されている。
【００２４】
配管用ウェイト２０は、図１（Ｂ）に示されるように、五面体からなる錘体に給水管・給湯管等の管体が挿通できる挿通孔２１が穿設され、この挿通孔２１に通ずる案内溝２２が錘体の一面から形成されて構成されている。
【００２５】
配管用ウェイト３０は、図１（Ｃ）に示されるように、円柱体からなる錘体に給水管・給湯管等の管体が挿通できる挿通孔３１が穿設され、この挿通孔３１に通ずる案内溝３２が錘体の周面から形成されて構成されている。
【００２６】
上記案内溝１２、２２、３２は、給水管・給湯管等の管体を、挿通孔１１、２１、３１に案内するための溝である。そして、配管用ウェイト１０、２０においては、挿通孔１１、２１が穿設されていない面、例えば、図１（Ａ）の１３で示した面、図１（Ｂ）の２３で示した面等が配管用ウェイト１０、２０の載置平面となっている。
【００２７】
上記の六面体からなる錘体、五面体からなる錘体、円柱体からなる錘体は、金属製であって、重さが２〜３ｋｇ程度のものが用いられているが、金属以外の合成樹脂、硬質ゴム等から製せられていてもよい。
要するに、取扱いが容易な大きさであって、給水管・給湯管等の管体の移動を抑えることができる重量であればよい。
【００２８】
次に、この発明の建物の配管構造の実施の形態を、図２の実施例を参照して説明する。
【００２９】
図２は、図１（Ａ）に示した配管用ウェイト１０を用いて、建物内の床下に、給水管・給湯管等の管体を配管した例を示すものであって、（Ａ）は建物を縦断して示す配管説明図、（Ｂ）は床下部の平面図である。
図２において、１  は建物、２は布基礎、３は床部、５はヘッダー、６は給水管・給湯管等の管体、７〜９は分配された給水管・給湯管等の管体である。
【００３０】
給水管・給湯管等の管体６は、布基礎２を通って建物１の床下に導かれ、ヘッダー５に接続され、給水管・給湯管等の管体７〜９に分配され、それぞれの給水管・給湯管等の管体６〜９は、複数の配管用ウェイト１０の挿通孔１１に通されて所定位置に配設されている。
【００３１】
分配された一つの給水管・給湯管等の管体７は、真上に立ち上げられ、直上の部屋４に導かれて、図示していない設備に接続されている。他の二つの給水管・給湯管等の管体８、９は、図２（Ａ）で奥方向の図示していない別の部屋に導かれて配設されている。
【００３２】
このように、配管用ウェイト１０の挿通孔１１に、給水管・給湯管等の管体６〜９を挿通し、載置平面１３を下にして載置することによって、管体を載置面に固定しなくても、給水管・給湯管等の管体６〜９が所定位置から移動したり、ずれたりすることが簡単に防がれるので、配管作業が容易である。
【００３３】
その後、リフォームやその他の理由で、建物内の配管位置の変更が求められる場合、配管用ウェイト１０は単に載置されているだけで、固定されていないので移動ができ、配管位置の変更が容易にできる。
【００３４】
例えば、図３に示すとおり、分配された一つの給水管・給湯管等の管体７を、図２（Ａ）で手前方向の図示していない別の部屋に導くようにし、中央部の給水管・給湯管等の管体８を真上に立ち上げて直上の部屋４に導くようにし、残りの給水管・給湯管等の管体９は前のままにしたが、この配管変更は、配管用ウェイト１０の載置位置の移動だけで、配管位置の変更が容易にできる。
なお、管体の長さの延長や短縮や、配管用ウェイト１０の追加、削減は、必要の応じ適宜行われる。
【００３５】
図２、図３の実施例では、配管用ウェイトとして、図１（Ａ）に示したものを用いたが、図１（Ｂ）や図１（Ｃ）に示したものも同様に用いることができることはもちろんである。
【００３６】
また、例えば天井裏での配管構造についても、この実施例の床下の配管構造と実質的な相違はないので説明を省略する。
【００３７】
なお、この発明は上記実施の形態に限られず、固定手段としては、ウェイトと一体化されたバンドやフック状の金具でもよい。
【００３８】
【発明の効果】
請求項１記載の発明の配管用ウェイトにあっては、錘体に給水管・給湯管等の管体の固定手段が設けられているので、この固定手段に管体を固定して所定位置に配設すれば、ウェイトを固定しなくてもウェイトの重さによって管体の位置がずれ難くなり、また、リフォームの場合等において、配管位置の変更も、ウェイトの位置を簡単に移動させことができ、容易に配管位置を変更できる。
【００３９】
請求項２記載の発明の配管用ウェイトにあっては、錘体に給水管・給湯管等の管体の挿通孔が穿設されているので、この挿通孔に管体を挿通するだけで容易にウェイトと管体を固定でき、また、リフォームの場合等において、配管位置の変更も、ウェイトの位置を簡単に移動させことができ、容易に配管位置を変更できる。
【００４０】
請求項３記載の発明の配管用ウェイトにあっては、上記請求項２の発明の作用を奏すると共に、錘体の外面に載置平面が形成されているので、ウェイトが安定した状態で載置され、配管された管体の位置のずれを防止できる。
【００４１】
請求項４記載の発明の建物の配管構造にあっては、給水管・給湯管等の管体がウェイトに固定され、このウェイトが建物内の所定個所に載置することにより、給水管・給湯管等の管体が建物内の所定位置に容易に配設され、また、リフォームの場合等において、建物内の配管位置の変更も、ウェイトの位置を移動させるだけで、容易にその配管位置を変更できる。
【００４２】
請求項５記載の発明の建物の配管構造にあっては、給水管・給湯管等の管体がウェイトに固定され、このウェイトが建物の床下または天井裏の所定個所に載置することにより、給水管・給湯管等の管体が床下または天井裏の所定位置に容易に配管され、また、リフォームの場合等において、床下の配管位置の変更も、ウェイトの位置を移動させるだけで、容易にその配管位置を変更できる。
【図面の簡単な説明】
【図１】この発明の配管用ウェイトの実施例を示す斜視図である。
【図２】この発明の建物の配管構造の実施例を示すものであって、（Ａ）は建物を縦断して示す配管状態の説明図、（Ｂ）は配管部の平面図である。
【図３】図２に示す建物の配管構造の変更後を示す配管部の平面図である。
【符号の説明】
１０、２０、３０      配管用ウェイト
１１、２１、３１      挿通孔
１            建物
２            布基
３            表面化粧材
５            ヘッダー
６〜９        給水管・給湯管等の管体
【図１】
2004346534.tif 000003
【図２】
2004346534.tif 000004
【図３】
2004346534.tif 000005